(57)【要約】【課題】地域性に応じた色補正を自動的に行うことができる画像処理システムを提供することを目的とする。【解決手段】注文受付操作の説明文を所定の言語で表示可能な機能を有し、注文に係る画像データに基づいて写真プリントの作成機能及び／又は記録媒体への書込み機能を有して構成される画像処理システムであって、注文受付操作の説明文の言語を選択する言語選択部１３と、選択された言語に応じた色補正情報を抽出する色補正情報抽出部１６，２３と、色補正情報に応じて画像データを補正する補正手段１８、２５、２７とを備える。【選択図】図２
2007334238.tif 000002
【特許請求の範囲】
【請求項１】
注文受付操作の説明文を所定の言語で表示可能な機能を有し、注文に係る画像データに基づいて写真プリントの作成機能及び／又は記録媒体への書込み機能を有して構成される画像処理システムであって、
注文受付操作の説明文の言語を選択する言語選択部と、
前記言語選択部によって選択された言語に応じた色補正情報を抽出する色補正情報抽出部と、
前記色補正情報抽出部によって抽出された色補正情報に応じて画像データを補正する補正手段と、
を備える画像処理システム。
【請求項２】
色補正情報を記憶する色補正情報記憶部をさらに備えることを特徴とする請求項１に記載の画像処理システム。
【請求項３】
色補正情報を格納する色補正情報格納部を備えるサーバ装置とネットワークを介して接続されることを特徴とする請求項１に記載の画像処理システム。
【請求項４】
前記サーバ装置は、
色補正に関する基礎データを取得する取得部と、
前記取得部によって取得された基礎データを地域単位に分類する分類部と、
前記分類部によって分類された基礎データに応じて色補正情報を更新する色補正情報更新手段と、
を備えることを特徴とする請求項３に記載の画像処理システム。
【請求項５】
注文受付操作の説明文を所定の言語で表示可能な機能を有し、注文に係る画像データに基づいて写真プリントの作成機能及び／又は記録媒体への書込み機能を有して構成される画像処理システムであって、
注文者の識別情報を受け付ける注文者識別情報受付手段と、
前記注文者識別情報受付手段によって受け付けられた識別情報に応じた色補正情報を抽出する色補正情報抽出部と、
前記色補正情報抽出部によって抽出された色補正情報に応じて画像データを補正する補正手段と、
を備える画像処理システム。
【発明の詳細な説明】
【技術分野】
【０００１】
本発明は、注文受付操作の説明文を所定の言語で表示可能な機能を有し、注文に係る画像データに基づいて写真プリントの作成機能及び／又は記録媒体への書込み機能を有して構成される画像処理システムに関するものである。特に、個々の色の好みによって、画像データを自動的に補正可能に構成したシステムに関する。
【背景技術】
【０００２】
注文受付操作の説明文を所定の言語で表示可能な写真注文受付装置と、写真受付装置が取得した画像データに基づいて写真プリントを作成する写真処理装置から構成されるプリント処理システムが公知である（特許文献１参照）。このシステムは、注文者によって選択された言語の操作説明文を写真注文受付装置のモニタに表示するので、注文者が外国人旅行者である場合でも、プリント注文等の操作説明文の理解が容易となる。
【０００３】
ところで、写真画像の色味について、個人的な好みの他に、地域性（国別）があることが知られている。例えば、中国であれば、全体的に赤色を好み、赤道付近の国では、青色を好む傾向にある。
【０００４】
そして、写真店では、この色味について、地域性を考慮し予め色味を設定していることがある。例えば、中国の写真店であれば、予め設定された補正値（赤味を上げる設定値）に従って、画像データが補正され、モニタ画面に表示されたり、仕上がりプリントとして提供される。
【０００５】
【特許文献１】特開２００６−７８７８１号公報
【発明の開示】
【発明が解決しようとする課題】
【０００６】
しかし、上記のように地域によって色味の好みがあるにしても、写真店では、注文者がどの地域（国）の人かを認識できないため、色味の補正は、予め定められた補正値に従うことになる。
【０００７】
例えば、旅行者が旅行先で写真プリントを注文する場合、従来のシステムでは、その旅行先の地域の写真店が設定している色味でプリントされるため、注文者の好みが反映されないといった問題がある。
【０００８】
また、旅行者に限らず、長期間滞在する人にとって、自分の好みの色味で写真プリントしたくてもできないため、不満であった。
【０００９】
また、写真プリント注文の際に、自ら色補正指示を可能とする注文受付装置もあるが、色補正操作に不慣れな注文者の場合、自分が欲する色味を出せない場合が多く、また操作も煩雑なため、注文者のサービス向上の観点から改善が望まれていた。
【００１０】
また、注文者が、写真店の店員に色味について補正を要望することもできるが、全ての色補正について行なうことは店舗サービスの観点からは良いが、サービスコストの観点からは望ましくない。
【００１１】
ところで、特許文献１のシステムは、注文者が写真プリントを注文する際に、注文操作の説明文を自分の母国語で行なえる。そこで本発明者は、この母国語の選択機能に着目し、地域性に応じた色補正を自動で行えないかと考え、本発明に至ったものである。
【００１２】
したがって、本発明は上記実情に鑑みてなされたものであり、個人の好み或いは地域性に応じた色補正を自動的に行うことができる画像処理システムを提供することを目的とする。
【課題を解決するための手段】
【００１３】
上記課題を解決するため本発明に係る画像処理システムは、
注文受付操作の説明文を所定の言語で表示可能な機能を有し、注文に係る画像データに基づいて写真プリントの作成機能及び／又は記録媒体への書込み機能を有して構成される画像処理システムであって、
注文受付操作の説明文の言語を選択する言語選択部と、
前記言語選択部によって選択された言語に応じた色補正情報を抽出する色補正情報抽出部と、
前記色補正情報抽出部によって抽出された色補正情報に応じて画像データを補正する補正手段とを備える。
【００１４】
この構成の作用効果を以下に示す。すなわち、画像処理システムは、注文受付操作の説明文を所定の言語で表示可能な機能と、注文に係る画像データに基づいて写真プリントの作成機能及び／又は記録媒体への書込み機能を有して構成されている。そして、注文受付操作の説明文の言語を選択する言語選択部と、当該選択された言語に応じた色補正情報を抽出する色補正情報抽出部と、当該抽出された色補正情報に応じて画像データを補正する補正手段とを備えている。
【００１５】
これによって、選択された言語によって、画像データを自動的に色補正することができ、注文者が好む色味或いは地域性を考慮した写真プリントの提供及び／又は記録媒体への書き込みの提供を行える共に、注文者の操作性を低下させることなく、かつ店舗サービスも維持できる。
【００１６】
また、本発明の画像処理システムは、色補正情報を記憶する色補正情報記憶部をさらに備えることを特徴とする。
【００１７】
この構成によって、色補正情報抽出部は、色補正情報記憶部が記憶する色補正情報から言語に応じた色補正情報を抽出することができる。
【００１８】
また、本発明の画像処理システムは、色補正情報を格納する色補正情報格納部を備えるサーバ装置とネットワークを介して接続されることを特徴とする。
【００１９】
この構成によれば、画像処理システムはサーバ装置とネットワークを介して接続されている。当該サーバ装置は、色補正情報を格納する色補正情報格納部を備えている。よって、色補正情報抽出部は、色補正情報格納部が格納する色補正情報から言語に応じた色補正情報を抽出することができる。ここで、抽出する場合、色補正情報群がサーバ装置からダウンロードされ、システム内のメモリに記憶され、当該色補正情報群から言語に応じた色補正情報を抽出するように構成できる。また、色補正情報抽出部が、言語データと共に検索指令をサーバ装置に送信し、サーバ装置の検索部によって抽出された色補正情報をダウンロードするように構成することもできる。
【００２０】
また、本発明の画像処理システムにおいて、
サーバ装置は、
色補正に関する基礎データを取得する取得部と、
取得部によって取得された基礎データを地域単位に分類する分類部と、
分類部によって分類された基礎データに応じて色補正情報を更新する色補正情報更新手段とを備えることを特徴とする。
【００２１】
この構成によれば、サーバ装置は、例えば、画像処理システムから色補正に関する基礎データを取得する取得部と、当該取得された基礎データを地域単位に分類する分類部と、当該分類された基礎データに応じて色補正情報を更新する色補正情報更新手段とを備えている。
【００２２】
これによって、色補正情報を地域性に応じて更新することができ、地域性による色味の傾向を掴んで、画像データの色補正に適切に供することができる。
【００２３】
また、他の本発明の画像処理システムは、
注文受付操作の説明文を所定の言語で表示可能な機能を有し、注文に係る画像データに基づいて写真プリントの作成機能及び／又は記録媒体への書込み機能を有して構成される画像処理システムであって、
注文者の識別情報を受け付ける注文者識別情報受付手段と、
前記注文者識別情報受付手段によって受け付けられた識別情報に応じた色補正情報を抽出する色補正情報抽出部と、
前記色補正情報抽出部によって抽出された色補正情報に応じて画像データを補正する補正手段とを備える。
【００２４】
この構成によれば、画像処理システムは、注文者の識別情報を受け付ける注文者識別情報受付手段を備えている。そして、色補正情報抽出部は、注文者識別情報受付手段によって受け付けられた識別情報に応じた色補正情報を抽出することができる。これによって、言語を選択する代わりに、識別情報に応じた色補正情報を抽出することができる。
【００２５】
「識別情報」は、例えば、顧客ＩＤ等である。顧客ＩＤと国、地域、言語、固有の色補正情報が関連づけられている。
【発明を実施するための最良の形態】
【００２６】
（実施形態１）
本発明に係る画像処理システム１の好適な一実施形態を図面を用いて説明する。図１は、画像処理システム１全体の構成を示す図である。
【００２７】
＜システムの全体構成＞
図１において、画像処理システム１は、注文受付装置１０、写真処理装置２０、記憶媒体書込装置３０から構成されている。また、画像処理システム１はネットワーク（例えば、インターネット）を介してサーバ装置４０と接続されている。
【００２８】
注文受付装置１０は、デジタルカメラ２のメディア２ａやその他のメディアに格納された画像データを受け付け、その画像データに係るプリント注文、記憶媒体への書込み注文等を提供することができるように構成されている。注文受付装置１０は、主として顧客により操作されるものであり、顧客が自ら持参したメディアを挿入し、プリント処理の対象となる画像データの選択、プリント枚数、プリントサイズの設定などを行うことができる。そして、注文受付操作の説明文を所定の言語で表示する機能を備え、例えば、注文者の母国語（第二母国語を含む、理解できる言語）で操作説明文を表示できる。この注文受付装置１０から注文に係る画像データ等が後述する写真処理装置２０に送信される。
【００２９】
写真処理装置２０は、注文受付装置１０で注文として受け付けられた画像データ（読み取られたデジタル画像データ）に基づいて、写真プリントを作成する機能を有する。また、写真処理装置２０は不図示のフィルムスキャナーを備え、現像済みネガフィルムからフィルムスキャナーで画像を読み取り、そのコマ画像の画像データに基づいて写真プリントを作成する機能を有する。さらにサーバ装置４０で提供されるオンラインプリント注文システムによって、顧客のＰＣ又は携帯電話等からネットワーク経由で送信されてくるデジタル画像データに基づいて写真プリントを作成する機能を有している。オンラインプリント注文システムは公知であるのでここでの詳細な説明は省略する。
【００３０】
記憶媒体書込装置３０（例えば、ＣＤ−Ｒ／ＲＷドライブ）は、注文受付装置１０又はフィルムスキャナーで読み取られた画像データをＣＤ−Ｒ等のメディアに書き込む機能を有する。また、画像処理システム１は、図示しないがＰＣ端末と接続され、このＰＣ端末は画像データに補正処理を施す機能、サーバ装置４０からのデータ受信し蓄積する機能等を提供するように構成される。
【００３１】
＜システムの機能ブロック構成＞
図２は、画像処理システム１、サーバ装置４０の主要な機能を示す機能ブロック図である。
【００３２】
（注文受付装置）
注文受付装置１０は、例えば、注文の操作説明文を表示する表示部１１、入力操作を行なう入力操作部１２、言語選択部１３、画像データを読み取る読取部１５、第１色補正情報抽出部１６、色補正テーブル（色補正情報に相当する）を記憶している第１色補正情報記憶部１７、第１色補正部１８（補正手段の１つを構成する）、各種データを送受信する送受信部１９等を備える。
【００３３】
言語選択部１３は、注文者が入力操作部１２を操作して入力された「言語」で示される注文受付操作の説明文をメモリ（不図示）から抽出する。抽出された「言語」の注文受付操作の説明文は、表示部１１に表示される。
【００３４】
第１色補正情報抽出部１６は、第１色補正情報記憶部１７に記憶されている色補正テーブル（図３参照）から、言語選択部１３によって選択された「言語」に応じた色補正情報を抽出する。
【００３５】
第１色補正部１８は、第１色補正情報抽出部１６によって抽出された色補正情報に応じて、読取部１５で読み取られた画像データを補正する。そして、色補正された画像データは、コマ画像として表示部１１に表示される。なお、ここでの画像データは、サムネイル画像データでもよく、完全な画像データでもよい。
【００３６】
言語選択部１３、第１色補正情報抽出部１６、第１色補正部１８の機能要素は、通常、ソフトウェアプログラムで構成され、ＣＰＵ、メモリ等のハードウエア資源と協働してその機能が達成されるが、専用回路、ファームウエア等で構成してもよい。
【００３７】
読取部１５は、例えば、ＣＤドライブとそのドライバー、コンパクトフラッシュ（登録商標）ドライブとそのドライバー等で構成できる。
【００３８】
（写真処理装置）
本発明の写真処理装置２０は、例えば、各種データを送受信する送受信部２１、受信したデータを蓄積するメモリ２２、第２色補正情報抽出部２３、色補正テーブル（色補正情報に相当する）を記憶している第２色補正情報記憶部２４、第２色補正部２５（補正手段の１つを構成する）、操作画面、画像等を表示する表示部２６、プリント用画像データを作成する画像処理基板２７（補正手段の１つを構成する）、プリント用画像データに基づいて写真プリントを作成するプリント部２８等を備える。第２色補正情報抽出部２３、第２色補正部２５は、通常、ソフトウェアプログラムで構成され、ＣＰＵ、メモリ等のハードウエア資源と協働してその機能が達成されるが、専用回路、ファームウエア等で構成してもよい。
【００３９】
送受信部２１は、注文受付装置１０からネットワーク経由で送信されてくる画像データ、色補正データＩＤを受信する。また、送受信部２１が受信するデータとして、例えば、画像データ、色補正情報、注文情報、その他データ等が例示される。受信したデータは一時的にメモリ２２に蓄積される。
【００４０】
第２色補正情報抽出部２３は、第２色補正情報記憶部２４に記憶されている色補正テーブル（図３参照）から、送受信部２１によって受信された「色補正データＩＤ」に応じた色補正情報を抽出する。
【００４１】
第２色補正部２５は、第２色補正情報抽出部２３によって抽出された色補正情報に応じて画像データを補正する。そして、色補正された画像データは、コマ画像として表示部２６に表示され、オペレータによる注文画像の確認に供される。
【００４２】
画像処理基板２７は、第２色補正情報抽出部２３によって抽出された色補正情報に応じて画像データを補正し、プリント用画像データを作成する。このプリント用画像データは、プリント部２８に送られ、写真プリント作成のために用いられる。画像処理基板２７は、入力メモリ、処理回路部、展開メモリにより構成され、処理回路部において指定された画像処理が行なわれる。具体的には、色補正情報或いはプレジャッジによる補正データに基づく色・濃度の補正、設定されたプリントサイズに従ったデータの拡縮処理などである。
【００４３】
また、写真処理装置２０はフィルムスキャナー（不図示）を備え、現像済みネガフィルム（写真フィルム）に形成されているコマ画像をスキャニングしてデジタルの画像データとして読み取り、メモリ２２又はその他のメモリに一時的に蓄積できる。
【００４４】
また、写真処理装置２０は、画像データに対する画像補正、プリント枚数、プリントサイズの設定を行なうプレジャッジ処理部（不図示）を備え、このプレジャッジ処理部で設定されたプリントサイズ、補正値に基づき、画像処理基板２７によってプリント用画像データを作成することができる。また、装置の全体動作は、装置制御部（不図示）によって制御される。
【００４５】
また、表示部２６は、プレジャッジを行なうための画面やオーダー管理画面等を表示させるものであり、プリント処理等を行うために必要な画面を提供する。不図示の入力操作部は、キーボードやマウス等により構成され、プリント処理に必要なデータ入力や設定、各種指令を行う。
【００４６】
次に、プリント部２８の構成を簡単に説明する。ペーパーマガジンには、印画紙がロール状に収容されている。このペーパーマガジンから引き出された長尺状の印画紙を設定されたプリントサイズになるようにペーパーカッタで切断する。露光エンジンは、画像処理基板２７の展開メモリから送信されてくるプリント用画像データを受け取り、このプリント用画像データに基づいて、カットされた印画紙の乳剤面に画像を焼付露光する。ついで、現像処理部は、画像が焼付露光されたペーパーの現像処理を行い、乾燥処理部は、現像処理されたペーパーの乾燥処理を行なう。ペーパー排出部から仕上がりの写真プリントが装置本体外部に排出され、所定の集積装置によりオーダー単位で集積される。
【００４７】
（サーバ装置）
サーバ装置４０は、不図示のＣＰＵ、メインメモリ、ＲＯＭ、バス等のハードウエアと、各種制御機能のソフトウェアプログラムで構成される情報処理装置で実現できる。また、不図示の入力装置、表示装置を具備する。さらに本発明において、複数の写真処理装置から色補正に関する基礎データを取得する取得部４１、基礎データを地域単位に分類する分類部４２、分類された基礎データに応じて色補正情報を更新する色補正情報更新手段４３、色補正情報を格納する色補正情報格納部４４、色補正情報を検索する検索部４５、各種データを送受信する送受信部４６を備える。
【００４８】
（実施形態１の動作説明）
画像処理システム１及びサーバ装置４０の動作例を図４〜６のフローチャートを用いて以下に説明する。まず、図４を用いて注文操作について説明する。
【００４９】
注文者は、写真店に設置してある注文受付装置１０を操作する際に、操作説明文の表示言語を選択する（Ｓ１）。表示部１１に、複数の「言語」が表示され、例えば、希望の言語部分「中国語（北京語）」を指定する。指定された「中国語（北京語）」をキーに、メモリに格納された操作説明文のコンテンツ情報から「中国語（北京語）の操作説明文」が抽出され、当該「中国語（北京語）の操作説明文」が表示される（Ｓ２）。
【００５０】
次いで、注文操作を進めていき、メディアを注文受付装置１０の読取部１５に挿入し、画像データを読み取らせる（Ｓ３）。そして、選択された「中国語（北京語）」をキーに、第１色補正情報記憶部１７に記憶された色補正テーブルから、該当する色補正情報を抽出する（Ｓ４）。図３に例示する色補正テーブル（テーブル１、２）は、言語ごとに色補正情報が区別され、または、顧客ＩＤごとに色補正情報が区別されている。Ｙはイエロー、Ｍはマゼンダ、Ｃはシアンの色を意味し、Ｄは濃度を意味する。なお、色補正処理の際、Ｄ（濃度）を無視するようにしてもよい。
【００５１】
次いで、不図示の画像処理部によって、読み取られた画像データがサムネイル処理され、第１色補正部１８によって、当該サムネイル画像データを色補正情報の補正値（Ｙ，Ｍ，Ｃ、Ｄ）に従って画像処理（色補正処理）される（Ｓ５）。
【００５２】
次いで、色補正されたサムネイル画像データは、サムネイル画像としてコマ毎に表示部１１に表示される（Ｓ６）。注文者は、表示されたサムネイル画像を確認し、プリントさせたいコマ画像を選択し、プリント枚数を指定する。そして、注文操作が終了したら、注文者は、「注文」指示を行う（Ｓ７）。この注文指示によって、注文データ、画像データ、色補正データＩＤが関連づけられて写真処理装置２０に送信される。
【００５３】
上記動作において、色補正データＩＤを送信するかわりに、色補正情報を送信するように構成でき、かかる場合、写真処理装置側に色補正テーブルを予め記憶しておかなくてもよい。
【００５４】
また、第１色補正情報抽出部１６は、写真処理装置側の色補正テーブルから色補正情報を抽出するように構成でき、かかる場合、注文受付装置側に予め色補正テーブルを記憶しておかなくてもよい。
【００５５】
以下に、図５を用いて、写真処理装置２０によるプリント処理について説明する。注文受付装置１０から注文データ、画像データ、色補正データＩＤを受信する（Ｓ５１）。受信された注文データ等は、メモリ２２に蓄積される。蓄積された注文データ等は、通常、受け付けた注文順序に従ってプリント処理される。
【００５６】
第２色補正情報抽出部２３は、色補正データＩＤをキーに第２色補正情報記憶部２４に記憶されている色補正テーブル（図３参照）を検索し、該当する色補正情報を抽出する（Ｓ５２）。
【００５７】
次いで、プレジャッジ処理部（不図示）は、画像データをメモリ２２から取得し、サムネイル処理を施す。次いで、第２色補正部２５は、サムネイル処理されたサムネイル画像データを抽出された色補正情報の補正値（Ｙ，Ｍ，Ｃ、Ｄ）に従って色補正する（Ｓ５３）。
【００５８】
そして、色補正されたサムネイル画像データは、表示部２６にサムネイル画像のコマ画像として表示される（Ｓ５４）。オペレータは、画像を確認し、プリント処理の実行を指示する（Ｓ５５）。
【００５９】
このプリント処理実行の指示により、画像データ及び色補正情報が画像処理基板２７に送られ、画像処理基板２７によって、画像データが画像処理（色補正処理を含む）されプリント用画像データが作成される（Ｓ５６）。このプリント用画像データはプリント部２８に送られ、プリント部２８によって、プリント用画像データに基づく写真プリントが作成される（Ｓ５７）。
【００６０】
以上の動作において、注文データと関連づけられて色補正データＩＤが受信されるが、この色補正データＩＤにかわって色補正情報が送信された場合、この送信された色補正情報にしたがって色補正される。かかる場合、第２色補正情報抽出部２３による色補正情報の抽出処理が省略される。
【００６１】
以下に、図６を用いて、サーバ装置４０による色補正情報の更新処理について説明する。取得部４１は、色補正情報の更新時期か否かを判断する（Ｓ６１）。例えば、所定日（例として、毎年３月１５日）になった時点で更新するように構成できる。自動的に更新処理するように構成してもよく、更新するか否かをサーバ装置４０の表示装置に表示させ、オペレータの判断指示を受け付けるように構成することもできる。
【００６２】
更新する場合、ステップＳ６２に進み、取得部４１は、色補正に関する基礎データを提供する指令を写真処理装置２０に送信する（Ｓ６２）。「色補正に関する基礎データ」は、写真プリント注文に際しての注文者の要求による色補正データ（例えば、Ｙ、Ｍ、Ｃ、Ｄ等）である。この色補正データは、写真処理装置２０が基礎データとしてメモリに保存しておくように構成される。取得部４１は、地域単位に複数の写真処理装置２０を選定して送信することができる。
【００６３】
次いで、上記「色補正に関する基礎データを提供する指令」を受信した写真処理装置２０は、保存している基礎データ及び写真処理装置ＩＤをサーバ装置４０に送信する。サーバ装置４０は当該基礎データを受信しメモリ（不図示）に蓄積する（Ｓ６３）。
【００６４】
次いで、分類部４２は、蓄積された基礎データを分類条件に従って分類する。例えば、写真処理装置ＩＤに応じて地域ごとに分類することができる。さらに、色単位（Ｙ、Ｍ、Ｃ、Ｄ）に平均値を演算する。または、平均値ではなく、最も多い補正値（例えば、＋１）を算出できる。分類部４２は、地域ごとに色補正値（Ｙ、Ｍ，Ｃ、Ｄ）を求める（Ｓ６４）。
【００６５】
次いで、色補正情報更新手段４３は、色補正情報を更新するか否かを判断する（Ｓ６５）。現時点の色補正値とステップＳ６４で新たに求められた色補正値とが異なる場合、自動的に入れ替える（Ｓ６６）。または、更新するか否かをオペレータに確認するように構成でき、かかる場合、現時点の色補正値と新たに求められた色補正値を比較できるように併記して表示させ、オペレータの指示に従う。更新させる場合、ステップＳ６６に行き、データ更新され、色補正情報格納部４４に格納される（Ｓ６６）。更新しない場合は、ステップＳ６１に戻り、上記処理を繰り返す。
【００６６】
更新された色補正情報（又は色補正テーブル）は、サーバ装置４０から自動的又は要求により、注文受付装置１０又は写真処理装置２０に送信され、地域性による色味をタイムリーに提供できるように構成される。
【００６７】
以上の色補正情報の更新において、サーバ装置４０は写真処理装置２０から色補正に関する基礎データを取得するように構成していたが、これに限定されない。例えば、サーバ装置４０は、注文受付装置１０から色補正に関する基礎データを取得するように構成することもできる。
【００６８】
（実施形態２）
本発明に係る画像処理システム１の他の一実施形態を図７を用いて説明する。図７は、画像処理システム１の機能を示すブロック図である。画像処理システム１は、実施形態１と同様に、注文受付装置１０、写真処理装置２０、記憶媒体書込装置３０から構成されている。また、画像処理システム１はネットワーク（例えば、インターネット）を介してサーバ装置４０と接続されている。以下において、実施形態１と同じ符号の機能要素は、同一の機能を実現するので説明を省略し、実施形態２で必要となる機能要素を中心に説明する。
【００６９】
写真処理装置２０又はサーバ装置４０は、顧客情報を格納部（不図示）に格納している。顧客情報は、顧客に関する情報であり、例えば、顧客ＩＤ、氏名、住所、性別、年齢、家族構成情報、電子メールアドレス等で構成される。
【００７０】
注文受付装置１０は、注文者の識別情報を受け付ける注文者識別情報受付手段１４を備える。注文者識別情報受付手段１４は、通常、ソフトウェアプログラムで構成され、ＣＰＵ、メモリ等のハードウエア資源と協働してその機能が達成されるが、専用回路、ファームウエア等で構成してもよい。
【００７１】
（実施形態２の動作説明）
実施形態１は、選択された「言語」をキーに色補正テーブルを検索し、色補正情報を抽出する構成であったが、実施形態２は、「顧客情報」をキーに色補正情報を抽出する構成である。
【００７２】
まず、注文者が注文受付装置１０の入力操作部１２を操作して、顧客ＩＤを入力する。この顧客ＩＤの入力により、注文者識別情報受付手段１４が当該入力された顧客ＩＤを注文者識別情報と認識する。次いで、第１色補正情報抽出部１６は、当該顧客ＩＤを検索キーとして、図３に示す色補正テーブル（テーブル２）を検索し、色補正情報を抽出する。次いで、第１色補正部１８は、抽出された色補正情報に応じて読み取った画像データを色補正する。そして、色補正された画像データが表示部１１に表示される。写真処理装置２０に送信される動作、写真処理装置２０、サーバ装置４０の動作は、実施形態１と同様である。
【００７３】
以上の実施形態において、注文者識別情報受付手段１４は、上記のように入力操作部１２を介して入力される構成に限定されず、例えば、顧客ＩＤが書き込まれたＩＤカードをその認識装置で認識する構成、又は生体認証装置等で実現してもよい。
【００７４】
また、実施形態１と実施形態２の機能を同時に兼ね備えたものでもよい。すなわち、言語選択部１３及び注文者識別情報受付手段１４の機能を同時に備える注文受付装置１０を構成することができる。かかる場合、「言語」が選択されたとしても、「顧客ＩＤ」が検索キーとして優先するように構成でき、逆に「言語」が選択された場合、「顧客ＩＤ」が入力されてもこれを無視するように構成できる。また、注文者が、色補正指示について「言語」か「顧客ＩＤ」かいずれかを選択できるように構成することもできる。
【００７５】
（実施形態３）
本発明に係る画像処理システム１の他の一実施形態を図を用いて説明する。図８は、画像処理システム１の外観模式図であり、図９は画像処理システム１の機能を示すブロック図である。図８、９に示すように、実施形態３の画像処理システム１は、注文受付機能、写真プリント機能、記録媒体書込み機能を外観上一体の装置で構成してある、いわゆるキオスク型端末装置である。以下において、実施形態１と同じ符号の機能要素は、同一の機能を実現するので説明を省略し、実施形態３で必要となる機能要素を中心に説明する。
【００７６】
画像処理システム１は、読取部１５で読み取ったデジタル画像データに基づく写真プリントを作成するプリント部１０１と、デジタル画像データを所定のメディアに書き込む記録媒体書込部１０２を有する。プリント部１０１は、例えば、昇華型プリンター、インクジェットプリンター、レーザープリンター等で実現できる。記録媒体書込部１０２は、例えば、ＣＤ−Ｒ／ＲＷドライブ装置で実現できる。
【００７７】
（実施形態３の動作説明）
注文者は、表示部１１に表示された、操作説明文の表示言語（例えば、「中国語（北京語）」）を選択する。選択された「中国語（北京語）」をキーに、メモリ（不図示）に格納された操作説明文のコンテンツ情報から「中国語（北京語）の操作説明文」が抽出され、当該「中国語（北京語）の操作説明文」が表示される。
【００７８】
次いで、注文操作を進めていき、メディアを注文受付装置１０の読取部１５に挿入し、画像データを読み取らせる。そして、選択された「中国語（北京語）」をキーに、第１色補正情報記憶部１７に記憶された色補正テーブルから、該当する色補正情報を抽出する。
【００７９】
次いで、不図示の画像処理部によって、読み取られた画像データがサムネイル処理され、第１色補正部１８によって、当該サムネイル画像データを色補正情報の補正値（Ｙ，Ｍ，Ｃ、Ｄ）に従って画像処理（色補正処理）される。
【００８０】
次いで、色補正されたサムネイル画像データは、サムネイル画像としてコマ毎に表示部１１に表示される。注文者は、表示されたサムネイル画像を確認し、プリントさせたいコマ画像を選択し、プリント枚数を指定する。そして、注文操作が終了したら、注文者は、「注文」指示を行う。この注文指示によって、読み取られた画像データが、第１色補正部１８によって、色補正情報の補正値（Ｙ，Ｍ，Ｃ、Ｄ）に従って画像処理（色補正処理）され、プリント部１０１に送信される。なお、実施形態１のように画像処理基板によって、画像データを色補正するように構成することもできる。
【００８１】
次いで、プリント部１０１は、送信された色補正された画像データに基づいてプリント処理を行い、仕上がり写真プリントが排出口（取り出し口）から排出される。
【００８２】
なお、記録媒体への書き込み注文の場合は、注文に係る画像データが第１色補正部１８によって色補正処理され、色補正処理後の画像データが記録媒体書込部１０２に送信される。記録媒体書込部１０２は、送信された色補正処理後の画像データを所定のメディアに書き込み処理を行う。
【００８３】
以上の実施形態３は、選択された「言語」をキーに色補正テーブルを検索し、色補正情報を抽出する構成であったが、実施形態２と同様に、「顧客情報」をキーに色補正情報を抽出する構成も可能である。かかる場合、画像処理システム１は、注文者の識別情報を受け付ける注文者識別情報受付手段１４を備える。この動作は、実施形態２と同様の動作である。
【図面の簡単な説明】
【００８４】
【図１】実施形態１に係る画像処理システムについて説明する図
【図２】実施形態１に係る画像処理システムの機能ブロック図
【図３】色補正テーブルの一例を説明する図
【図４】注文処理の動作の一例を説明するフローチャート
【図５】プリント処理の動作の一例を説明するフローチャート
【図６】色補正情報更新の動作の一例を説明するフローチャート
【図７】実施形態２に係る画像処理システムの機能ブロック図
【図８】実施形態３に係る画像処理システムについて説明する図
【図９】実施形態３に係る画像処理システムの機能ブロック図
【符号の説明】
【００８５】
１        画像処理システム
１０      注文受付装置
１１      表示部
１２      入力操作部
１３      言語選択部
１４      注文者識別情報受付手段
１５      読取部
１６      第１色補正情報抽出部
１７      第１色補正情報記憶部
１８      第１色補正部
１９      送受信部
２０      写真処理装置
２１      送受信部
２２      メモリ
２３      第２色補正情報抽出部
２４      第２色補正情報記憶部
２５      第２色補正部
２６      表示部
２７      画像処理基板
２８、１０１    プリント部
３０      記憶媒体書込装置
４０      サーバ装置
４１      取得部
４２      分類部
４３      色補正情報更新手段
４４      色補正情報格納部
４５      検索部
【図１】
2007334238.tif 000003
【図２】
2007334238.tif 000004
【図３】
2007334238.tif 000005
【図４】
2007334238.tif 000006
【図５】
2007334238.tif 000007
【図６】
2007334238.tif 000008
【図７】
2007334238.tif 000009
【図８】
2007334238.tif 000010
【図９】
2007334238.tif 000011